(57)【要約】【課題】  非回転型の塗布装置を用いて大型の基板に塗布した場合でも平坦性の良好な塗布膜を得ることができる感光性樹脂組成物を提供する。また、この感光性樹脂組成物を用いるパターン形成方法を提供する。【解決手段】  アルカリ可溶性樹脂、感光剤及び溶媒を含有してなる感光性樹脂組成物であって、これをモリブデン被覆ガラス基板に滴下したときのモリブデン被覆ガラス基板に対する動的接触角の経時変化率の時間微分値が０となるまでに要する時間が、滴下直後から２００〜８００ミリ秒の範囲内にあることを特徴とする感光性樹脂組成物。上記感光性樹脂組成物を、基板上に塗布し、乾燥して感光性樹脂膜を形成する工程、この感光性樹脂膜を所定形状のフォトマスクを介して露光する工程、及び露光された感光性樹脂膜を現像して感光性樹脂パターンを形成する工程を有するパターンの形成方法。【選択図】  なし【特許請求の範囲】
【請求項１】
アルカリ可溶性樹脂、感光剤及び溶媒を含有してなる感光性樹脂組成物であって、これをモリブデン被覆ガラス基板に滴下したときのモリブデン被覆ガラス基板に対する動的接触角の経時変化率の時間微分値が０となるまでに要する時間が、滴下直後から２００〜８００ミリ秒の範囲内にあることを特徴とする感光性樹脂組成物。
【請求項２】
５〜２５度の静的接触角を有する請求項１記載の感光性樹脂組成物。
【請求項３】
シリコーン系界面活性剤、フッ素系界面活性剤及び炭化水素系界面活性剤から選ばれる少なくとも１種の界面活性剤を含む請求項１又は２に記載の感光性樹脂組成物。
【請求項４】
非回転塗布型塗布装置を用いて塗布されるものである請求項１〜３のいずれかに記載の感光性樹脂組成物。
【請求項５】
請求項１〜３のいずれかに記載の感光性樹脂組成物を、基板上に塗布し、乾燥して感光性樹脂膜を形成する工程、この感光性樹脂膜に活性光線を照射して所定形状の潜像パターンを形成する工程、及びこの潜像パターンをアルカリ現像液で現像して感光性樹脂パターンを形成する工程を有するパターン形成方法。
【請求項６】
感光性樹脂組成物の基板上への塗布が非回転塗布型塗布装置を用いて行われるものである請求項５記載のパターン形成方法。
【発明の詳細な説明】
【技術分野】
【０００１】
本発明は、アルカリ可溶性樹脂、感光剤及び溶媒を含有してなる感光性樹脂組成物及びこれを用いるパターン形成方法に関するものであり、より詳しくは特定の動的接触角を有する感光性樹脂組成物及びこれを用いるパターン形成方法に関する。本発明の感光性樹脂組成物は、特に、非回転塗布型塗布装置に適用したときに、スジやモヤといった塗布ムラのない塗布膜を形成することができる。
【背景技術】
【０００２】
感光性樹脂組成物は半導体集積回路素子、カラーフィルター、液晶表示素子等の製造において微細加工を行うための材料として利用される。このような微細加工に際しては、感光性樹脂組成物が基板上に塗布、乾燥されて感光性樹脂膜が形成される。次いで、この感光性樹脂膜が、所定形状のフォトマスクを介して、紫外線、遠紫外線、電子線、Ｘ線等の各種活性放射線により露光され、更に現像工程を経て、感光性樹脂パターンが形成される。
【０００３】
集積回路は年を追うごとに高集積化されているが、近年では０．５μｍ以下の微細加工を安定的に行うことのできる技術が求められている。
この要求に対応するため、レジスト組成物には、解像度や感度等の転写特性に優れているばかりではなく、塗布ムラ等がなく膜厚が高精度に均一な塗布膜を形成できることが必要とされる。
これまで、塗布膜の均一性を向上させるために、感光性樹脂組成物を構成する溶媒の選択、界面活性剤の添加等々、種々の方法が提案されている。
【０００４】
一方、液晶表示素子用の基板の製造においては、歩留まりや効率を向上させるために、基板の寸法が大型化の一途を辿っていて、最近では、少なくとも一辺の長さが１ｍ以上のものも現実化している。
このような大型基板に感光性樹脂を塗布するに当たっては、従来用いられてきた回転塗布型の塗布装置を用いることができない。このため、スピンレススリットコート法が採用されている。
ところが、このような非回転型の塗布装置を用いると、回転型の塗布装置を用いた場合に比べて、得られる感光性樹脂膜の平坦性が悪い。即ち、回転型塗布装置では、基板の回転によりある程度の塗布膜平坦性が担保され、更に大部分の溶媒が回転により除去されるので残存する溶媒を加熱除去した後の感光性樹脂膜の平坦性低下が少ない。ところが、非回転塗布装置を用いた場合は、感光性樹脂組成物が基板上に塗布された状態で平坦性の程度がほぼ決定される。更に、感光性樹脂組成物には、良好な塗布性を担保するために多量の溶媒が用いられるので、乾燥後、加熱によって除去される溶媒量が多くなる。このため、得られる感光性樹脂膜にはムラが生じ、平坦性が低下する傾向が高くなる。
【０００５】
従って、回転塗布型の塗布装置を用いた場合に限らず非回転塗布型の塗布装置を用いた場合にも、平坦な塗布膜を得ることが可能な感光性樹脂膜が強く求められている。
このような要望に対処するため、着色感光性樹脂組成物の表面張力を界面活性剤の添加により制御する方法が開示されている（特許文献１）。
また、粘度、固形分濃度及び基板との接触角をそれぞれ特定範囲内に規定したポジ型感光性樹脂組成物も提案されている（特許文献２）。
これらの方法によれば、一定の改善効果を得ることができるが、十分ではない。
【０００６】
【特許文献１】特開２００４−１２６５４９号公報
【特許文献２】特開２００４−２３３９８１号公報
【発明の開示】
【発明が解決しようとする課題】
【０００７】
従って、本発明の目的は、非回転型の塗布装置を用いて大型の基板に塗布した場合でも平坦性の良好な塗布膜を得ることができる感光性樹脂組成物を提供することにある。本発明の他の目的は、この感光性樹脂組成物を用いるパターン形成方法を提供することにある。
【課題を解決するための手段】
【０００８】
本発明者は、上記目的を達成するために鋭意検討を重ねた結果、感光性樹脂組成物の動的接触角を特定範囲内に制御すればよいことを見出し、この知見に基づいて、本発明を完成するに至った。
【０００９】
かくして本発明によれば、アルカリ可溶性樹脂、感光剤及び溶媒を含有してなる感光性樹脂組成物であって、これをモリブデン被覆ガラス基板に滴下したときのモリブデン被覆ガラス基板に対する動的接触角の経時変化率の時間微分値が０となるまでに要する時間が、滴下直後から２００〜８００ミリ秒の範囲内にあることを特徴とする感光性樹脂組成物が提供される。
本発明の感光性樹脂組成物は、５〜２５度の静的接触角を有することが好ましい。
また、本発明の感光性樹脂組成物は、シリコーン系界面活性剤、フッ素系界面活性剤及び炭化水素系界面活性剤から選ばれる少なくとも１種の界面活性剤を含むことが好ましい。
本発明の感光性樹脂組成物は、非回転塗布型塗布装置に好適に適用することができる。
更に、本発明によれば、上記感光性樹脂組成物を、基板上に塗布し、乾燥して感光性樹脂膜を形成する工程、この感光性樹脂膜を所定形状のフォトマスクを介して露光する工程、及び露光された感光性樹脂膜を現像して感光性樹脂パターンを形成する工程を有するパターン形成方法が提供される。
本発明のパターン形成方法は、感光性樹脂組成物の基板上への塗布が非回転塗布型塗布装置を用いて行われる際に好適に適用される。
【発明の効果】
【００１０】
本発明の感光性樹脂組成物を用いることにより、非回転型塗布装置を用いて大型の基板に塗布した場合でもスジやモヤといった塗布ムラのない平坦性に優れた塗布膜を得ることができる。これにより、大型化された基板の生産効率を大きく向上させることができる。
【発明を実施するための最良の形態】
【００１１】
以下、本発明を更に詳細に説明する。
本発明の感光性樹脂組成物は、アルカリ可溶性樹脂、感光剤及び溶媒を含有してなる。
本発明において用いられるアルカリ可溶性樹脂は、アルカリ性水溶液等からなる現像液に可溶性の樹脂であれば特に限定されないが、例えば、ノボラック樹脂、レゾール樹脂、アクリル樹脂、ポリビニルアルコール、スチレン−アクリル酸共重合体、ヒドロキシスチレン重合体、ポリビニルヒドロキシベンゾエート等を挙げることができる。これらのうち、ノボラック樹脂が好ましい。
【００１２】
ノボラック樹脂は、フェノール化合物とアルデヒド化合物とを縮合することによって得られるノボラック型のフェノール樹脂である
ノボラック樹脂を製造するために用いられるフェノール化合物は、一価のフェノールであっても、レゾルシノール等の二価以上の多価フェノールであってもよい。
フェノール化合物は、１種類を単独で使用してもよく、２種以上を組み合わせて使用してもよい。
【００１３】
一価のフェノール化合物の具体例としては、例えばフェノール；ｏ−クレゾール、ｐ−クレゾール、ｍ−クレゾールのクレゾール；３，５−キシレノール、２，５−キシレノール、２，３−キシレノール、３，４−キシレノール等のキシレノール；２−エチルフェノール、３−エチルフェノール、４−エチルフェノール、２−プロピルフェノール、３−プロピルフェノール、４−プロピルフェノール、２−ｔ−ブチルフェノール、３−ｔ−ブチルフェノール、４−ｔ−ブチルフェノール、３，５−ジエチルフェノール、２，５−ジエチルフェノール、２−ｔ−ブチル−４−メチルフェノール、２−ｔ−ブチル−５−メチルフェノール、６−ｔ−ブチル−３−メチルフェノール、２，３，５−トリメチルフェノール、２，３，５−トリエチルフェノール等のアルキルフェノール；ｐ−メトキシフェノール、ｍ−メトキシフェノール、ｐ−エトキシフェノール、ｍ−エトキシフェノール、２，３−ジメトキシフェノール、２，５−ジメトキシフェノール、３，５−ジメトキシフェノール等のアルコキシフェノール；２−フェニルフェノール、３−フェニルフェノール、４−フェニルフェノール等のアリールフェノール；ｏ−イソプロペニルフェノール、ｐ−イソプロペニルフェノール、２−メチル−４−イソプロペニルフェノール、２−エチル−４−イソプロペニルフェノール等のアルケニルフェノール；等を挙げることができる。
【００１４】
多価フェノール化合物の具体例としては、レゾルシノール、２−メチルレゾルシノール、４−メチルレゾルシノール、５−メチルレゾルシノール、２−メトキシレゾルシノール、４−メトキシレゾルシノール；ヒドロキノン；カテコール、４−ｔ−ブチルカテコール、３−メトキシカテコール；４，４’−ジヒドロキシビフェニル、ビスフェノールＡ；ピロガロール；フロログリシノール；等を挙げることができる。
これらのフェノール化合物のうち、ｏ−クレゾール、ｍ−クレゾール、ｐ−クレゾール、２，５−キシレノール、３，５−キシレノール、２，３，５−トリメチルフェノールが好ましい。
【００１５】
フェノール化合物と縮合させるアルデヒド化合物は、脂肪族アルデヒド、脂環式アルデヒド及び芳香族アルデヒドのいずれであってもよい。
アルデヒド化合物は、１種類を単独で使用してもよく、２種以上を組み合わせて使用してもよい。
脂肪族アルデヒドの具体例としては、ホルムアルデヒド、パラホルムアルデヒド、トリオキサン、アセトアルデヒド、プロピオンアルデヒド、ｎ−ブチルアルデヒド、ｉ−ブチルアルデヒド、トリメチルアセトアルデヒド、ｎ−ヘキシルアルデヒド、アクロレイン、クロトンアルデヒド等を挙げることができる。
脂環式アルデヒドの具体例としては、シクロヘキサンアルデヒド、シクロペンタンアルデヒド、フルフラール、フリルアクロレイン等を挙げることができる。
芳香族アルデヒドの具体例としては、ベンズアルデヒド、ｏ−トルアルデヒド、ｍ−トルアルデヒド、ｐ−トルアルデヒド、ｐ−エチルベンズアルデヒド、２，４−ジメチルベンズアルデヒド、２，５−ジメチルベンズアルデヒド、３，４−ジメチルベンズアルデヒド、３，５−ジメチルベンズアルデヒド、ｏ−クロロベンズアルデヒド、ｍ−クロロベンズアルデヒド、ｐ−クロロベンズアルデヒド、ｏ−ヒドロキシベンズアルデヒド、ｍ−ヒドロキシベンズアルデヒド、ｐ−ヒドロキシベンズアルデヒド、ｏ−アニスアルデヒド、ｍ−アニスアルデヒド、ｐ−アニスアルデヒド、テレフタルアルデヒド、フェニルアセトアルデヒド、α−フェニルプロピオンアルデヒド、β−フェニルプロピオンアルデヒド、桂皮アルデヒド等を挙げることができる。
【００１６】
ノボラック樹脂の製造においてフェノール化合物とアルデヒド化合物との縮合は、酸性触媒の存在下、公知の方法で行えばよい。酸性触媒としては、塩酸、硫酸、ギ酸、酢酸、シュウ酸、ｐ−トルエンスルホン酸等を使用することができる。
縮合反応生成物を良溶媒、例えばメタノール、エタノール等のアルコール；アセトン、メチルエチルケトン等のケトン；エチレングリコールモノエチルエーテルアセテート等のアルキレングリコール溶媒；テトラヒドロフラン等のエーテル溶媒；等に溶解し、次いで水中に注いで沈殿させる。
【００１７】
アルカリ可溶性樹脂は、低分子量成分を分別除去して用いることができる。低分子量成分を除去する方法としては、例えば異なる溶解性を有する２種の溶媒中で樹脂を分別する液−液分別法や、低分子量成分を遠心分離により除去する方法、薄膜蒸留法等を挙げることができる。
本発明において好適に使用されるアルカリ可溶性ノボラック樹脂は、その重量平均分子量が、通常、２，０００〜２０，０００、好ましくは２，５００〜１２，０００、更に好ましくは３，０００〜８，０００のものである。
【００１８】
本発明に用いる感光剤は、活性放射線の照射により反応し、アルカリ可溶性樹脂のアルカリ現像液に対する溶解性を変化させる機能を有するものであればよいが、キノンジアジド化合物を代表的なものとして挙げることができる。
このキノンジアジド化合物としては、従来、キノンジアジド−ノボラック樹脂系レジストで用いられている公知の感光剤を用いることができる。
キノンジアジド化合物は一般にナフトキノンジアジドスルホン酸クロライドやベンゾキノンジアジドスルホン酸クロライド等の酸ハライドと、これと縮合反応可能な官能基（水酸基、アミノ基等。好ましくは水酸基。）を有する低分子化合物又は高分子化合物とを反応させることによって得られるキノンジアジドスルホン酸エステルが好ましい。
キノンジアジドスルホン酸ハライドとヒドロキシ化合物とから得られるキノンジアジドスルホン酸エステルのエステル化率は、好ましくは５０％以上、より好ましくは６０％以上である。
【００１９】
酸ハライドと縮合可能な水酸基含有化合物としては、例えば、２，３，４−トリヒドロキシベンゾフェノン、２，４，４’−トリヒドロキシベンゾフェノン、２，３，４，４’−テトラヒドロキシベンゾフェノン、２，２’，４，４’−テトラヒドロキシベンゾフェノン、２，２’，３，４，４’−ペンタヒドロキシベンゾフェノン等のポリヒドロキシベンゾフェノン；没食子酸メチル、没食子酸エチル、没食子酸プロピル等の没食子酸エステル；２，２−ビス（４−ヒドロキシフェニル）プロパン、２，２−ビス（２，４−ジヒドロキシフェニル）プロパン等のポリヒドロキシビスフェニルアルカン；トリス（４−ヒドロキシフェニル）メタン、１，１，１−トリス（４−ヒドロキシ−３−メチルフェニル）エタン、１，１，１−トリス（４−ヒドロキシフェニル）エタン、１，１−ビス（４−ヒドロキシ−３−メチルフェニル）−１−（４−ヒドロキシフェニル）エタン、ビス（４−ヒドロキシ−３−メチルフェニル）−２−ヒドロキシ−４−メトキシフェニルメタン等のポリヒドロキシトリスフェニルアルカン；１，１，２，２−テトラキス（４−ヒドロキシフェニル）エタン、１，１，２，２−テトラキス（３−メチル−４−ヒドロキシフェニル）エタン、１，１，３，３−テトラキス（４−ヒドロキシフェニル）プロパン等のポリヒドロキシテトラキスフェニルアルカン；α，α，α’，α’−テトラキス（４−ヒドロキシフェニル）−３−キシレン、α，α，α’，α’−テトラキス（４−ヒドロキシフェニル）−４−キシレン、α，α，α’，α’−テトラキス（３−メチル−４−ヒドロキシフェニル）−３−キシレン等のポリヒドロキシテトラキスフェニルキシレン；２，６−ビス（２，４−ジヒドロキシベンジル）−ｐ−クレゾール、２，６−ビス（２，４−ジヒドロキシ−３−メチルベンジル）−ｐ−クレゾール、４，６−ビス（４−ヒドロキシベンジル）レゾルシン、４，６−ビス（４−ヒドロキシ−３−メチルベンジル）レゾルシン、４，６−ビス（４−ヒドロキシベンジル）−２−メチルレゾルシン、４，６−ビス（４−ヒドロキシ−３−メチルベンジル）−２−メチルレゾルシン等のフェノール化合物とホルムアルデヒドとのトリマー；前記フェノール化合物とホルムアルデヒドとのテトラマー；ノボラック樹脂；等を挙げることができる。
これらの水酸基含有化合物は、１種類を単独で又は２種以上を組み合わせて用いることができる。
【００２０】
酸ハライドとしては、例えば、１，２−ナフトキノンジアジド−５−スルホニルクロライド、１，２−ナフトキノンジアジド−４−スルホニルクロライド、１，２−ナフトキノンジアジド−６−スルホニルクロライド等が好ましいものとして挙げられる。
キノンジアジドスルホン酸ハライドとヒドロキシ化合物との反応は、通常、ジオキサン、Ｎ−メチルピロリドン、ジメチルアセトアミド等の有機溶媒中、トリエタノールアミン、炭酸アルカリ又は炭酸水素アルカリのような塩基性縮合剤の存在下で行う。
【００２１】
本発明の感光性樹脂組成物において、感光剤の配合量は、アルカリ可溶性樹脂１００重量部あたり、通常、１〜１００重量部、好ましくは５〜５０重量部、より好ましくは１０〜４０重量部である。
【００２２】
本発明の感光性樹脂組成物において、溶媒は、アルカリ可溶性樹脂及び感光剤を溶解するものであれば特に限定されず、アルキレングリコール溶媒、エーテル溶媒、エステル溶媒、炭化水素溶媒、ケトン溶媒、アミド溶媒等を使用することができる。
これらの溶媒は、１種類を単独で又は２種以上を組み合わせて用いることができる。
溶媒の配合量は、後述する感光性樹脂組成物の動的接触角や固形分濃度を勘案して適宜設定すればよい。
【００２３】
アルキレングリコール溶媒の具体例としては、エチレングリコールモノメチルエーテル、エチレングリコールモノエチルエーテル、ジエチレングリコールモノメチルエーテル、ジエチレングリコールモノエチルエーテル、ジエチレングリコールジメチルエーテル、ジエチレングリコールジエチルエーテル等のエチレングリコールアルキルエーテル；プロピレングリコールモノメチルエーテル、プロピレングリコールモノエチルエーテル等のプロピレングリコールモノアルキルエーテル；エチレングリコールモノメチルエーテルアセテート、エチレングリコールモノエチルエーテルアセテート等のエチレングリコールモノアルキルエーテルアセテート；プロピレングリコールモノメチルエーテルアセテート、プロピレングリコールモノエチルエーテルアセテート等のプロピレングリコールモノアルキルエーテルアセテート；等を挙げることができる。
エーテル溶媒の具体例としては、テトラヒドロフラン等を挙げることができる。
エステル溶媒の具体例としては、酢酸エチル、酢酸ｎ―ブチル、３−メトキシプロピオン酸メチル、３−エトキシプロピオン酸エチル、乳酸メチル、乳酸エチル、γ−ブチロラクトン等を挙げることができる。
炭化水素溶媒の具体例としては、トルエン、キシレン等の芳香族炭化水素等を挙げることができる。
ケトン溶媒の具体例としては、メチルエチルケトン、２−ヘプタノン、シクロヘキサノン等を挙げることができる。
アミド溶媒の具体例としては、Ｎ，Ｎ−ジメチルアセトアミド、Ｎ−メチルピロリドン等を挙げることができる。
【００２４】
本発明の感光性樹脂組成物は、モリブデン被覆ガラス基板に滴下したときのモリブデン被覆ガラス基板に対する動的接触角の経時変化率の時間微分値が０となるまでに要する時間が、滴下直後から２００〜８００ミリ秒の範囲内にあることが必要である。
この時間が２００ミリ秒未満であっても８００ミリ秒を超えても、感光性樹脂組成物の塗布膜にスジが生じる。この時間が２００〜８００ミリ秒の範囲内にあるときに、スジが発生せず、平坦性が良好となる。
この動的接触角は、液滴法により測定される。
動的接触角の経時変化率は、感光性樹脂組成物をモリブデン被覆ガラス基板に滴下して、その後、接触角計を用いて時間を追って動的接触角を測定する。動的接触角の時間変化率は任意の２測定点間の測定値の差を両者の時間間隔で除したものである。単位は、度／ミリ秒である。
動的接触角の経時変化率の時間微分値は、動的接触角を、横軸を時間、縦軸を動的接触角とするグラフにプロットして、これから時間−動的接触角曲線を求め、これから動的接触角の時間変化率［該曲線の勾配］を求め、更にこれを時間で微分することにより求めることができる。
動的接触角の測定に用いる接触角計としては、例えば、協和界面科学社製、自動接触角計ＣＡ−Ｘ１５０型接触角計を示すことができる。
【００２５】
また、本発明の感光性樹脂組成物は、モリブデン被覆ガラス基板に滴下したときのモリブデン被覆ガラス基板に対する静的接触角が５〜２５度の範囲内にあることが好ましい。
静的接触角は、６〜２３度の範囲内にあることがより好ましく、７〜２１度の範囲内にあることが更に好ましい。
ここで、静的接触角は、前述の動的接触角の測定において、動的接触角の経時変化率の時間微分値が０となったときから３０秒後の動的接触角測定値として求められる。
【００２６】
本発明の感光性樹脂組成物の動的接触角及び静的接触角をこの範囲に調整する方法は、特に限定されないが、例えば、感光性樹脂組成物の各成分の種類の選択、感光性樹脂組成物の濃度（溶媒の量）の調整、界面活性剤の添加等による方法を挙げることができる。
これらのうち、界面活性剤を添加する方法は、簡便であり、動的接触角及び静的接触角の制御が容易なので、好ましい。
【００２７】
本発明で使用し得る界面活性剤としては、シリコーン系界面活性剤、フッ素系界面活性剤、炭化水素系界面活性剤が挙げられる。これらの界面活性剤は１種類を単独で使用してもよく、また、２種以上を組み合わせて使用してもよい。
【００２８】
シリコーン系界面活性剤としては、シロキサン結合を有する界面活性剤を挙げることができる。その具体例としては、ＳＨ２８ＰＡ、ＳＨ２９ＰＡ、ＳＨ３０ＰＡ、ポリエーテル変性シリコーンオイルＳＦ８４１０、同ＳＦ８４２７、同ＳＨ８４００、ＳＴ８０ＰＡ、ＳＴ８３ＰＡ、ＳＴ８６ＰＡ（以上、東レ・ダウコーニング・シリコーン社製）、ＫＰ３２１、ＫＰ３２３、ＫＰ３２４、ＫＰ３４０、ＫＰ３４１（以上、信越シリコーン社製）、ＴＳＦ４００、ＴＳＦ４０１、ＴＳＦ４１０、ＴＳＦ４４４０、ＴＳＦ４４４５、ＴＳＦ４４４６（以上、東芝シリコーン社製）等を挙げることができる。
【００２９】
フッ素系界面活性剤としては、フルオロカーボン鎖を有する界面活性剤を挙げることができる。その具体例としては、フロリナート（商品名）ＦＣ−４３０、同ＦＣ−４３１（以上、住友スリーエム社製）、サーフロン（商品名）Ｓ−１４１、同Ｓ−１４５、同Ｓ−３８１、同Ｓ−３９３（以上、旭硝子社製）、エフトップＥＦ３０１、同ＥＦ３０３、同ＥＦ３５１、同ＥＦ３５２（以上、新秋田化成社製）、メガファック（商品名）Ｆ１７１、同Ｆ１７２、同Ｆ１７３、Ｒ−３０（以上、大日本インキ化学工業社製）等を挙げることができる。
【００３０】
また、フッ素原子（フルオロカーボン鎖）を有するシリコーン系界面活性剤も使用することができる。その具体例としては、メガファック（商品名）Ｒ０８、同Ｆ４７０、同Ｆ４７１、同Ｆ４７２ＳＦ、同Ｆ４７５等を挙げることができる。
【００３１】
炭化水素系界面活性剤としては、ポリオキシエチレン鎖を有する界面活性剤を挙げることができる。その具体例としては、ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート等を挙げることができる。
【００３２】
これらの界面活性剤の使用量は、感光性樹脂組成物に対して、１００〜５，０００ｐｐｍ、好ましくは２００〜２，０００ｐｐｍである。この範囲で界面活性剤を使用すると、塗布膜にスジやモヤといった塗布ムラを発生せず、また、未露光の塗布膜が現像液に溶解することがないので好ましい。
【００３３】
本発明の感光性樹脂組成物には、必要に応じて各種添加物、例えば、感光性樹脂組成物と基板との密着性を向上するための密着促進剤、希釈剤、染料、可塑剤、安定剤等を配合することができる。
【００３４】
密着促進剤としては、例えば、メラミン化合物及びシラン化合物が挙げられる。
メラミン化合物の具体例としては、Ｃｙｍｅｌ−３００、３０３（三井化学社製）、ＭＷ−３０ＭＨ、ＭＷ−３０、ＭＳ−１１、ＭＳ−００１、ＭＸ−７５０、ＭＸ−７０６（三和ケミカル社製）等が挙げられる。メラミン化合物の使用量は、アルカリ可溶性樹脂１００重量部に対して、通常、２０重量部以下、好ましくは０．５〜１８重量部、更に好ましくは１．０〜１５重量部である。
一方、シラン化合物の具体例としては、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等が挙げられる。
シラン化合物の使用量は、アルカリ可溶性樹脂１００重量部に対して、通常、２重量部以下、好ましくは０．００１〜１重量部、更に好ましくは０．００５〜０．８重量部である。
【００３５】
染料の例としてはトリフェニルメタン系染料、シアニン染料、ジアゾ染料、スチリル染料等を挙げることができる。
また、接着助剤としてはアルキルイミダゾリン、酪酸、アルキル酸、ポリヒドロキシスチレン、ポリビニルメチルエーテル、ｔ−ブチルノボラック、エポキシシラン、メラミン樹脂、エポキシポリマー、シランカップリング剤等を挙げることができる。
【００３６】
本発明の感光性樹脂組成物は、上記のアルカリ可溶性樹脂、感光剤、更に必要に応じて、界面活性剤、密着促進剤、染料、可塑剤、安定剤等の添加剤を、溶媒と混合し、各種の混合機や分散機を使用して混合分散することによって調製することができる。
本発明の感光性樹脂組成物の固形分含量は、特に限定されないが、通常、６〜１６重量％、好ましくは７〜１５重量％、更に好ましくは８〜１４重量％に調整する。固形分含量をこの範囲内に設定することにより、スジやモヤといった塗布ムラを生じることなく、塗布膜を形成することができる。
本発明の感光性樹脂組成物の粘度は、室温（２５℃）において、通常、２．０〜５．０ｃＰ、好ましくは２．２〜４．８ｃＰ、更に好ましくは２．５〜４．５ｃＰである。粘度がこの範囲内にあれば、スジやモヤといった塗布ムラが生じにくく、且つ基板内部の塗布均一性も良好に保たれる。
【００３７】
本発明のパターンの形成方法は、本発明の感光性樹脂組成物を基板上に塗布して塗布膜を形成する工程、この塗布膜を乾燥して感光性樹脂膜を形成する工程、この感光性樹脂膜を所定形状のフォトマスクを介して露光する工程、及び露光された感光性樹脂膜を現像して感光性樹脂パターンを形成する工程を有する。
【００３８】
本発明で用い得る基板に格別な制限はなく、従来から使用されるシリコン基板、ガラス基板、樹脂基板、金属基板、プリント配線板等各種のものを挙げることができる。これらは、表面に異種材料からなる塗布膜が形成された複合基板（例えば、ガラス基板上に金属膜が形成された基板、ガラス基板上に樹脂膜が形成された基板等）であってもよい。
また、これらの基板は、シランカップリング剤等の薬品による処理、プラズマ処理、イオンプレーティング処理、スパッタリング処理、気相反応処理、真空蒸着処理等の前処理が施されていてもよい。
更に、シリコン基板の上に電荷結合素子、薄膜トランジスタ（ＴＦＴ）等が形成されたものであってもよい。
【００３９】
本発明の感光性樹脂組成物は、平坦性の良好な塗布膜を形成することができるので、特に大型の基板を使用する際に好適に用いられる。
大型基板としては、例えば、液晶ディスプレイ等に用いられる無アルカリ性ガラス、ソーダガラス、パイレックス（登録商標）ガラス、石英ガラス及びこれらのガラスに金属膜や透明導電膜を付着させたものや、固体撮像素子等に用いられる光電変換素子基板、例えばシリコン基板等が挙げられる。これらの基板は、少なくとも一辺の長さが８００ｍｍ以上のものであって、好ましくは少なくとも一辺の長さが１，０００ｍｍ以上である。
【００４０】
本発明の感光性樹脂組成物を基板に塗布する方法は、従来から行われている塗布方法のいずれであってもよいが、特に非回転塗布型塗布装置による非回転塗布型塗布方法を用いる場合に、特にその効果を発揮する。
非回転塗布型塗布方法の代表的なものとして、スピンレススリットコート法を挙げることができる。スピンレススリットコート法は、感光性樹脂組成物を供給するスリットを移動させることにより、基板にスリットが接触することなく感光性樹脂組成物を塗布するものである。
スピンレススリットコート法による塗布には、スピンレスコーター（東京応化工業社製）、テーブルコーター（中外炉工業社製）、リニアコーター（大日本スクリーン製造社製）、ヘッドコーター（平田機工社製）、スリットダイコーター（東レエンジニアリング社製）、東レスリットコーター（東レ社製）等の、市販のコーターを用いればよい。
【００４１】
基板上に感光性樹脂組成物を塗布した後、減圧及び／又はプリベークにより乾燥して感光性樹脂膜を得る。得られた樹脂膜に、必要に応じてマスクパターンを介して，活性光線を照射して、樹脂膜中に所定形状の潜像パターンを形成する。次いで、この潜像パターンをアルカリ現像液で現像して感光性樹脂パターンが形成される。
【００４２】
本発明で用いる活性光線の種類は特に限定されず、例えば、可視光線、紫外線、遠紫外線、Ｘ線等を挙げることができ、特に可視光線、紫外線が好ましい。照射する光線量は感光性樹脂膜の使用目的、膜の厚み等を勘案して任意に設定することができる。
【００４３】
潜像パターンの現像に用いるアルカリ現像液は、特に限定されず、アルカリ成分の具体例としては、テトラエチルアンモニウムヒドロキシド、炭酸ナトリウム、炭酸水素ナトリウム、水酸化ナトリウム、水酸化カリウム等を挙げることができる。これらの現像液は、通常、０．１〜５重量％水溶液として使用される。
パターンの現像後、通常、水で洗浄し、更に圧縮空気や圧縮窒素で風乾する。次いで、このパターンをホットプレート、オーブンなどの加熱装置により、所定温度、例えば１００〜２５０℃で、所定時間、例えばホットプレート上なら２〜６０分間、オーブン中では２〜９０分間加熱処理（ポストベーク）をすることによって、目的とするパターンを得ることができる。
【実施例】
【００４４】
以下に実施例を挙げて本発明を更に具体的に説明する。なお、各例中の部及び％は特に断りのない限り、質量基準である。
また、評価は、以下の方法によった。
［動的接触角］
自動接触角計（協和界面科学社製、ＣＡ−Ｘ１５型）を用いて、液滴法により測定する。
［動的接触角の経時変化率の時間微分値］
動的接触角の経時変化率は、感光性樹脂組成物４マイクロリットルをモリブデン被覆ガラス基板に滴下して、その後、接触角計を用いて時間を追って動的接触角を測定する。動的接触角の時間変化率は任意の２測定点間の測定値の差を両者の時間間隔で除したものである。単位は、度／ミリ秒である。
動的接触角の経時変化率の時間微分値は、動的接触角を、横軸を時間、縦軸を動的接触角とするグラフにプロットして、これから時間−動的接触角曲線を求め、これから動的接触角の時間変化率［該曲線の勾配］を求め、更にこれを時間で微分する
【００４５】
［静的接触角］
静的接触角は、前述の動的接触角の測定において、動的接触角の経時変化率の時間微分値が０となったときから３０秒後の動的接触角測定値として求められる。
［塗布膜の平坦性］
ナトリウムランプ（東芝干渉縞検査灯、東芝ライテック社製）を用いて、塗布膜のスジの有無を目視観察した。スジが認められないものを平坦性良好、認められたものを平坦性不良とする。
【００４６】
［感光性樹脂塗布膜の形成］
感光性樹脂組成物を、東レスリットコーター（東レ社製、ＴＣ５１１Ｔ）を用いて、８５ｍｍ／秒の塗布速度で、ガラス基板（サイズ１１００×１２００ｍｍ）に塗布後、減圧乾燥し、１１５℃、３分間、ホットプレート上でプリベークして約１．５μｍの塗布膜を形成する。
【００４７】
［実施例１］
［感光性樹脂組成物１の調製］
ｍ−クレゾール／ｐ−クレゾール混合クレゾール（混合比＝５：５）とホルムアルデヒドとをシュウ酸の存在下、縮重合させて得られたノボラック樹脂（重量平均分子量＝約５５００）１７．７部、２，３，４，４’−テトラヒドロキシベンゾフェノンと１，２−ナフトキノンジアジド−５−スルホン酸クロライドとから得られたエステル化率７０％のキノンジアジド化合物４．３部、プロピレングリコールモノメチルエーテルアセテート７０．８部及び乳酸エチル７．８部を混合して混合物１を得た。混合物１にシロキサン結合を有するシリコーン系界面活性剤ＳＨ２９ＰＡ（東レ・ダウコーニング・シリコーン社製）０．０４部を混合して感光性樹脂組成物１を得た。
この感光性樹脂組成物について、動的接触角の経時変化率の時間微分値が０となるまでの時間及び静的接触角を測定し、平坦性を評価した。結果を表１に示す。
【００４８】
［実施例２〜４、比較例１、２］
界面活性剤の種類及び／又は使用量を表１に示すように変更するほかは、実施例１と同様にして、それぞれ、感光性樹脂組成物２〜４及びＣ１〜Ｃ２を得た。
これらの感光性樹脂組成物について、動的接触角の経時変化率の時間微分値が０となるまでの時間及び静的接触角を測定し、平坦性を評価した。結果を表１に示す。
【００４９】
【表１】
2006145735.tif 000002
【００５０】
表１の脚注
＊１  シリコーン系界面活性剤（東レ・ダウコーニング・シリコーン社製）
＊２  フルオロカーボン鎖を持つフッ素系界面活性剤（大日本インキ化学工業社製）
＊３  エチレンオキシド基を持つ炭化水素系界面活性剤（竹本油脂社製）
＊４  シリコーン系界面活性剤（東レ・ダウコーニング・シリコーン社製）
【００５１】
表１の結果から、動的接触角の経時変化率の時間微分値が０となるまでの時間が、滴下直後から２００〜８００ミリ秒である本発明の感光性樹脂組成物を用いたときは、平坦性が良好な塗布膜が得られることが分かる。これに対して、この時間が本発明で規定する範囲を外れた比較例では、スジが観察され、平坦性が悪いことが分かる。